(57)【要約】【課題】着座者をより確実にリラックスさせることができる座席装置を提供する。【解決手段】座席装置１０は、車両に搭載され、着座者が着座するシート１２と、前記シートに着座した着座者の背部を押圧するリフレッシュ用空気袋３２と、前記リフレッシュ用空気袋３２の駆動を制御するコントローラ４４であって、リフレッシュ動作が必要な場合に、リフレッシュ用空気袋３２による前記背部の押圧と、前記押圧の解除とを繰り返すリフレッシュ動作を実行させるコントローラ４４と、を備え、前記コントローラ４４は、前記繰り返しの周期を予め設定された初期周期から徐々に大きくする。【選択図】図６
2020114706.tif 000002
【特許請求の範囲】
【請求項１】
車両に搭載され、着座者が着座するシートと、
前記シートに着座した着座者の背部を押圧する押圧機構と、
前記押圧機構の駆動を制御するコントローラであって、リフレッシュ動作が必要な場合に、前記押圧機構による前記背部の押圧と、前記押圧の解除とを繰り返すリフレッシュ動作を実行させるコントローラと、
を備え、前記コントローラは、前記繰り返しの周期を予め設定された初期周期から徐々に大きくする、
ことを特徴とする座席装置。
【発明の詳細な説明】
【技術分野】
【０００１】
本明細書では、車両に搭載される座席装置を開示する。
【背景技術】
【０００２】
運転手をはじめとする自動車の乗員は、比較的、長時間ほぼ同じ姿勢を取ったまま座席に座り続ける。こうした着座の長期化や他の理由により、自動車の乗員のストレスや緊張感が高まり、運転操作の判断に影響を与えることがある。そこで、従来から自動車の乗員の緊張感を緩和できる座席装置が提案されている。
【０００３】
例えば、特許文献１には、自動車の運転者に対して規則正しい周期の呼吸を誘導する運転者感情誘導装置が開示されている。この特許文献１の運転者感情誘導装置は、運転者の背後から後頭部、胸椎部、腰椎部を圧迫する圧迫手段と、車両のシートベルトの張力を調節する張力調節手段と、この圧迫手段及び張力調節手段を制御して運転者の呼吸周期を予め設定された呼吸周期に誘導する呼吸誘導手段と、を備えている。一般に、人はゆっくりとした周期で呼吸をする（例えば深呼吸等）と緊張感が緩和されることが知られている。そのため、特許文献１の技術で、運転者の呼吸周期を望ましい周期に誘導できれば、運転者の緊張を緩和できる。
【先行技術文献】
【特許文献】
【０００４】
【特許文献１】特開２００５−２９６４５２号公報
【発明の概要】
【発明が解決しようとする課題】
【０００５】
ところで、特許文献１では、目標とする呼吸周期として、丹田式、西野式といった呼吸法に基づく、特定の呼吸周期が設定されており、この目標の呼吸周期に合わせて圧迫手段及び張力調節手段を駆動している。従って、この目標の呼吸周期は、圧迫手段等の駆動周期とほぼ同じである
【０００６】
ここで、丹田式呼吸法は、吸気５秒、呼気１０秒（したがって呼吸周期は１５秒）を目標としており、通常の成人の呼吸周期（３．３秒〜５秒）と比べて非常に長い。また、西野式呼吸法でも、呼吸周期は、１０秒以上と非常に長くなっている。換言すれば、特許文献１の技術では、圧迫手段等によって乗員を押圧し始めたときの乗員の呼吸周期と、圧迫手段等による押圧周期との乖離が大きい。そのため、圧迫手段等により身体が部分的に押されたとしても、この押圧と同じ周期で呼吸することは、乗員が特別に意識して行わない限り難しい。つまり、特許文献１のように、平常時の乗員の呼吸周期より大幅に大きい周期で乗員を押圧する技術では、乗員の緊張を自然に（無意識的に）緩和することは難しかった。
【０００７】
そこで、本明細書では、乗員をより確実にリラックスさせることができる座席装置を開示する。
【課題を解決するための手段】
【０００８】
本明細書で開示する座席装置は、車両に搭載され、着座者が着座するシートと、前記シートに着座した着座者の背部を押圧する押圧機構と、前記押圧機構の駆動を制御するコントローラであって、リフレッシュ動作が必要な場合に、前記押圧機構による前記背部の押圧と、前記押圧の解除とを繰り返すリフレッシュ動作を実行させるコントローラと、を備え、前記コントローラは、前記繰り返しの周期を予め設定された初期周期から徐々に大きくする、ことを特徴とする。
【０００９】
かかる構成とすることで、リフレッシュ動作の開始時における着座者の呼吸周期と、押圧／押圧解除の繰り返し周期との乖離を小さく抑えられるため、着座者が、この押圧／押圧解除の動作につられて呼吸しやすくなる。そして、この押圧／押圧解除の繰り返し周期が徐々に大きくなることで、着座者の呼吸周期を自然と大きくできる。結果として、着座者が意識しなくても、自然と着座者をリラックスさせることができる。
【００１０】
また、前記押圧機構は、前記シートの背もたれ部のうち前記着座者の腰椎を支える箇所に内蔵され、膨張することで前記背もたれ部の表面を前記背部に近づく方向に膨らます１以上の空気袋を含んでもよい。
【００１１】
かかる構成とすることで、簡易に着座者の背部の押圧／押圧解除が可能となる。
【００１２】
さらに、前記着座者のマインド状態に関する情報を検知するマインド状態検知手段を備え、前記コントローラは、前記マインド状態検知手段で検知された情報に基づいて前記着座者のマインド状態を判断し、その判断結果に基づいて、前記リフレッシュ動作の要否を判断してもよい。
【００１３】
かかる構成とすることで、適切なタイミングでリフレッシュ動作を実行することができる。
【００１４】
前記マインド状態検知手段は、前記着座者を撮像するカメラ、及び、前記着座者の生体信号を検知する生体信号センサの少なくとも一つを含んでもよい。
【００１５】
また、前記初期周期は、平常時における前記着座者の呼吸周期よりも大きくてもよい。
【００１６】
かかる構成とすることで、比較的短い時間で、着座者を所望の呼吸周期に誘導することができる。
【発明の効果】
【００１７】
本明細書で開示する座席装置によれば、着座者をより確実にリラックスさせることができる。
【図面の簡単な説明】
【００１８】
【図１】座席装置に設けられるシートの斜視図である。
【図２】シートの概略的な断面図である。
【図３】空気袋の膨縮制御に関するブロック図である。
【図４】着座者のマインド状態の遷移の一例を示す図である。
【図５】腰椎の動きに伴う横隔膜及び肺の動きを説明する図である。
【図６】リフレッシュ用空気袋の膨縮のプロファイルを示す図である。
【発明を実施するための形態】
【００１９】
以下、図面を参照して座席装置１０の構成について説明する。図１は、座席装置１０に設けられるシート１２の斜視図である。また、図２は、シート１２の断面図である。この座席装置１０は、車室の前部に搭載される運転席や助手席として用いられる１人掛け用の座席装置である。座席装置１０のシート１２には、着座者が着座するシートクッション１４と、着座者の上体を支えるシートバック１６（背もたれ部）と、が設けられている。シートクッション１４は、略水平に設置されたクッションフレーム（図示せず）に、クッションパッド２２を載置し、さらに、このクッションパッド２２の表面をクッションカバー２４で覆うことで構成される。クッションカバー２４は、薄いシート状素材、例えば布や合成皮革、天然皮革等からなる。クッションカバー２４の表面には、いくつかの溝が形成されており、これは、クッションカバー２４をクッションパッド２２側から吊る（引っ張る）ことで形成される。クッションパッド２２は、適度な弾性を有した材料、例えば、軟質ポリウレタン発泡体等からなる。
【００２０】
クッションフレームの下には、前後方向に延びるスライドレール（図示せず）が固着されており、クッションフレームは、このスライドレールに対してスライド可能に取り付けられている。そして、クッションフレームがスライドすることで、シート１２全体が前後方向にスライドできる。
【００２１】
シートバック１６は、シートクッション１４の後端から立ち上がるバックフレーム（図示せず）と、バックフレームの前面に配置されるバックパッド２８と、バックパッド２８の表面を覆うバックカバー３０と、を有している。バックパッド２８は、後述する空気袋３２，３４の膨縮に伴い変形できる程度の弾性を有した材料、例えば、軟質ポリウレタン発泡体等からなる。バックカバー３０は、クッションカバー２４と同様に薄いシート状素材（布、合成皮革、天然皮革等）からなる。また、バックカバー３０の表面にも、いくつかの溝が形成されており、これは、バックカバー３０をバックパッド２８側から吊ることで形成される。
【００２２】
バックフレームの下端は、幅方向に延びる揺動軸２０に連結されている。バックフレームを含むシートバック１６は、この揺動軸２０を中心として前後方向に揺動（リクライニング）できるようになっている。シートバック１６の上端には、着座者の頭部を支えるヘッドレスト１８が接続されている。このヘッドレスト１８の構成は、従来のものを採用できるため、ここでの詳説は、省略する。
【００２３】
シートバック１６のうち、着座者の腰部に対応する箇所、具体的には、シートバック１６の中間高さよりもやや下側位置には、複数の空気袋３２，３４が設けられている。空気袋は、比較的小さめのリフレッシュ用空気袋３２と、比較的大きめのストレッチ用空気袋３４と、を含む。これら空気袋３２，３４は、いずれも、着座者の背部を押圧する押圧機構として機能するものである。より具体的には、空気袋３２，３４は、いずれも、その内部に空気を充填させることで膨張し、これによりシートバック１６の表面を局所的に着座者に近づく方向に突出させる。
【００２４】
ストレッチ用空気袋３４は、着座者に背筋を伸ばすストレッチをさせるために設けられている。ストレッチ用空気袋３４は、図１に示すように、幅方向に長尺な略長方形であり、着座者の腰部の背後に位置している。ストレッチ用空気袋３４が膨張することで、着座者の腰部が前方に押圧され、着座者の背筋が伸ばされる。なお、ストレッチ用空気袋３４は、その厚み方向に複数段、重ねられて配置されてもよい。複数のストレッチ用空気袋３４を、厚み方向に重ねることで、空気注入量を抑えつつ、大きな変形ストロークが得られる。
【００２５】
リフレッシュ用空気袋３２は、着座者をリフレッシュさせて、緊張を緩和するために設けられている。より具体的には、リフレッシュ用空気袋３２は、特別な周期で膨縮を繰り返すことで、着座者に深呼吸を促し、これにより着座者をリラックスさせるが、これについては、後に詳説する。図１に示すように、シートバック１６には、四つのリフレッシュ用空気袋３２が、２行２列の配列で配置されている。このリフレッシュ用空気袋３２も、着座者の腰部に対応する位置に設けられており、一部のリフレッシュ用空気袋３２は、ストレッチ用空気袋３４と厚み方向に重なって配置されている。このリフレッシュ用空気袋３２の膨張に伴うシートバック１６の変形ストロークは、ストレッチ用空気袋３４の膨張に伴うシートバック１６の変形ストロークに比べて小さくなっており、例えば、前者は、後者の２／３以下である。なお、リフレッシュ用空気袋３２も、ストレッチ用空気袋３４と同様に、厚み方向に複数段、重ねられてもよい。
【００２６】
図３は、空気袋３２，３４の膨縮制御に関するブロック図である。図３に示す通り、また、上述した通り、座席装置１０には、複数の空気袋３２，３４が設けられている。この空気袋３２，３４は、チューブ４０を介してポンプ４２に連通されている。ポンプ４２は、コントローラ４４の指示に従い、空気袋３２，３４に空気を供給、または、空気袋３２，３４から空気を回収する。ポンプ４２と空気袋３２，３４との間には、電磁弁などの弁３８が設けられており、弁３８を適宜、開閉することで、ポンプ４２と連通する空気袋３２，３４、換言すれば膨縮駆動される空気袋３２，３４を切り替えることができる。
【００２７】
各空気袋３２，３４には、当該空気袋３２，３４の内圧を検知する圧力センサ３６が設けられている。この圧力センサ３６による検出圧力は、コントローラ４４に送られる。コントローラ４４は、この検出圧力に基づいて空気袋３２，３４の膨張量を判断する。
【００２８】
座席装置１０は、さらに、着座者のマインド状態を検知する検知手段を有する。この検知手段は、着座者のマインド状態、例えば、緊張の有無や眠気の有無に関する情報を検知するものであれば、特に限定されない。本例では、検知手段として、着座者を撮像するカメラ４６を設けている。このカメラ４６は、主に着座者の顔（表情）を撮像するために設けられており、例えば、ダッシュボードやバックミラーの近傍に設置されている。カメラ４６は、着座者を定期的に撮像し、得られた画像をコントローラ４４に送る。なお、カメラ４６の個数は、特に限定されず、複数のカメラ４６、例えば、着座者の顔を撮像するカメラ４６と、着座者の上半身全体を撮像するカメラ４６と、を設けてもよい。また、本例では、マインド状態を検知する検知手段としてカメラ４６を用いたが、カメラ４６に替えて、または、加えて着座者の生体信号（例えば、脈拍、体温等）を検知する生体信号センサを設けてもよい。
【００２９】
コントローラ４４は、例えば、ＣＰＵとメモリとを有したマイコン等で構成される制御装置である。このコントローラ４４は、着座者のマインド状態を推定し、その推定結果に基づいてリフレッシュ動作またはストレッチ動作の要否を判断し、その判断結果に応じて空気袋３２，３４を膨縮させる。具体的に説明すると、本例では、コントローラ４４は、カメラ４６から送られる画像に写った着座者の表情を解析し、着座者の緊張の有無及び眠気の有無を判断する。こうした表情の解析には、公知のＡＩ技術等を用いることができ、例えば、唇や眼、眉等の動きやまばたきの頻度、手指や体の動き等から表情を解析する。なお、本例では、着座者のマインド状態に基づいてストレッチ及びリフレッシュ動作の要否を判断しているが、他の条件に基づいて、これら動作の要否を判断してもよい。例えば、コントローラ４４は、連続乗車時間等に基づいてストレッチ及びリフレッシュ動作の要否を判断してもよい。また、ストレッチ及びリフレッシュ動作の開始指示を着座者から受け付けるようにしてもよい。
【００３０】
表情解析の結果、着座者の眠気が一定以上高いと判断した場合、コントローラ４４は、ストレッチ動作が必要と判断し、ストレッチ動作を実行する。また、着座者の緊張感が一定以上高いと判断した場合、コントローラ４４は、リフレッシュ動作が必要と判断し、リフレッシュ動作を実行する。図４は、着座者のマインド状態の遷移の一例を示す図である。図４において、横軸は、時間を、縦軸は、着座者のマインド状態を示している。着座者のマインド状態は、適度にリラックスしたリラックス状態と、緊張感が高まってイライラによる注意力低下が生じている緊張状態と、眠気が高まった過剰リラックス状態と、に大別される。コントローラ４４は、着座者のマインド状態を定期的に確認し、上記三つのいずれに当てはまるかを判断する。そして、コントローラ４４は、その判断結果に応じて、ストレッチ動作またはリフレッシュ動作を実行させる。例えば、着座者がリラックスした状態（ａ）から徐々に眠気が増加し（ｂ）、過剰リラックス状態に到達（ｃ）したとする。この場合、コントローラ４４は、ストレッチ動作を実行し（ｓ）、着座者の覚醒を図る。その結果、着座者のマインド状態が、リラックス状態になれば（ｄ）、ストレッチ動作を停止する。一方、１回のストレッチ動作で、十分に覚醒できなかった場合（ｅ）には、着座者がリラックス状態に達するまで、ストレッチ動作を繰り返す。
【００３１】
また、着座者がリラックスした状態（ａ）から徐々に緊張感が増加し（ｆ）、緊張状態に到達（ｇ）したとする。この場合、コントローラ４４は、リフレッシュ動作を実行し（ｒ）、緊張感の緩和を図る。その結果、着座者のマインド状態が、リラックス状態になれば（ｈ）、リフレッシュ動作を停止する。一方、ワンセットのリフレッシュ動作で十分にリラックスできなかった場合（ｉ）、コントローラ４４は、着座者がリラックス状態に達するまで、リラックス動作を繰り返す。
【００３２】
次に、ストレッチ動作及びリフレッシュ動作の具体的な動きについて説明する。ストレッチ動作では、ストレッチ用空気袋３４を膨張させて、着座者の背筋を伸ばした状態を一定時間（例えば１０秒）継続させる。より具体的には、ストレッチ動作を実行する場合、コントローラ４４は、ストレッチ用空気袋３４に対応する弁３８を開放するとともに、圧力センサ３６で検知された圧力が所定の目標値に達するまで、ポンプ４２でストレッチ用空気袋３４に空気を送る。検出圧力が目標値に到達すれば、コントローラ４４は、対応する弁３８を閉鎖して、ストレッチ用空気袋３４を密閉する。この状態なれば、コントローラ４４は、ポンプ４２の駆動を停止し、一定時間（例えば１０秒）待機する。一定時間が経過すれば、コントローラ４４は、ストレッチ用空気袋３４に対応する弁３８を再び開放するとともに、ポンプ４２を駆動してストレッチ用空気袋３４から空気を回収する。そして、ストレッチ用空気袋３４が、完全に縮小して平坦になれば、ストレッチ動作は、終了となる。
【００３３】
リフレッシュ動作では、リフレッシュ用空気袋３２を、予め規定されたプロファイルで膨縮させて、着座者の呼吸を誘導させる。このときのリフレッシュ用空気袋３２の膨縮手順は、ストレッチ用空気袋３４の場合と同様に、必要に応じて弁３８を開放し、圧力センサ３６で検知された圧力に基づいてポンプ４２を駆動する。
【００３４】
次に、こうした空気袋３２，３４の膨縮が、ストレッチ及びリフレッシュ効果を与える理由について簡単に説明する。ストレッチ動作では、ストレッチ用空気袋３４を膨張させ、着座者の腰部を前方に押圧する。これにより、着座者の背筋は、自然と伸ばされ、背伸びと同様の効果を発揮し、眠気が効果的に解消される。
【００３５】
一方、リフレッシュ動作では、リフレッシュ用空気袋３２の膨張と収縮を、一定期間、繰り返し行う。これにより、着座者の腹式呼吸が誘導される。これについて、図５を参照して説明する。図５は、腰椎１０２の動きに伴う横隔膜１０４及び肺１０６の動きを説明する図である。図５に示す通り、人体の胸腔と腹腔との間は、横隔膜１０４により隔てられている。この横隔膜１０４は、腰椎１０２、胸骨（図示せず）、肋骨（図示せず）に跨っている。また、この横隔膜１０４の上側、胸腔には、肺１０６がある。
【００３６】
既述した通り、リフレッシュ用空気袋３２は、着座者の腰部、ひいては、腰椎１０２に対応する位置に設けられている。かかるリフレッシュ用空気袋３２が膨張すると、図５（ａ）に示すように、腰椎１０２が前方に押し出され、弓なりに曲がる。これに伴い、腰椎１０２に繋がった横隔膜１０４も前方に押し出され、弛緩する。横隔膜１０４が弛緩すると、その分、横隔膜１０４が下に下がり、肺１０６が広がる。これにより、人体は、自然と息を吸うことになる。また、リフレッシュ用空気袋３２が縮小すると、図５（ｂ）に示すように、腰椎１０２の押し出しが解除され、腰椎１０２に繋がった横隔膜１０４が緊張する。横隔膜１０４が緊張すると、その分、横隔膜１０４が上に上がり、肺１０６が縮小する。これにより、人体は、自然と息を吐くことになる。つまり、リフレッシュ用空気袋３２の膨縮に伴い、横隔膜１０４が上下し、自然と呼吸するようになる。
【００３７】
こうした横隔膜１０４の動きに伴う呼吸は、いわゆる、腹式呼吸と呼ばれ、リラックス効果が高いと言われている。特に、比較的ゆっくりとしたリズムで腹式呼吸を行った場合、肺が刺激信号を出し、この刺激信号が、脊椎から自律神経中枢（脳）へと送られる。そして、自律神経中枢に刺激信号が到達した時のバランスにより、副交感神経が優位となる。そして、結果として、精神的にリラックスできるだけでなく、手足等の筋肉の緊張も和らぐ。
【００３８】
本例では、ゆっくりとしたリズムでの腹式呼吸に誘導するために、リフレッシュ用空気袋３２の膨張と縮小とを繰り返すが、この繰り返しの周期を予め設定された初期周期から徐々に大きくしている。また初期周期は、平常時における着座者の呼吸周期よりも大きめに設定している。これについて、図６を参照して説明する。図６は、リフレッシュ用空気袋３２の膨縮のプロファイルを示している。図６において、横軸は、時間を示している。また、縦軸は、リフレッシュ用空気袋３２の膨縮状態を示しており、Ｈｉｇｈは、膨張状態（吸気状態）を、Ｌｏｗは、縮小状態（呼気状態）を示している。
【００３９】
図６において、リフレッシュ動作は、時刻ｔ０に開始される。リフレッシュ用空気袋３２の膨縮の初期周期は、膨張（吸気）時間Ａがａ０、縮小（呼気）時間Ｂがｂ０となっている。膨縮の周期は、この初期周期から徐々に長くなっていき、ｎ回目の膨縮の時間Ａｎ，Ｂｎは、下の式１−４で表される。
ａｎ＝ａ０＋ｎ×α    （１）
ｂｎ＝ｂ０＋ｎ×α    （２）
ａｎ＜ＡｍａｘならＡｎ＝ａｎ    ａｎ≧ＡｍａｘならＡｎ＝Ａｍａｘ    （３）
ｂｎ＜ＢｍａｘならＢｎ＝ｂｎ    ｂｎ≧ＢｍａｘならＢｎ＝Ｂｍａｘ    （４）
【００４０】
ここで、初期吸気時間ａ０及び初期呼気時間ｂ０は、平常時における着座者の呼吸周期（通常、吸気時間及び呼気時間を合わせて３．３〜５秒）よりも大きくなっており、例えば、ａ０は、３〜４秒、ｂ０は、３．５秒〜４．５秒とすることができる。また、加算時間αは、初期吸気時間ａ０の１／１０以下であり、例えば、０．１〜０．３秒程度である。さらに、吸気最大時間Ａｍａｘ及び呼気最大時間Ｂｍａｘは、膨縮動作を１０〜１５回繰り返して到達する値が設定される。コントローラ４４は、こうしたプロファイルに従ったリフレッシュ用空気袋３２の膨縮動作を所定時間（例えば３〜５分）実行する。
【００４１】
このように、膨縮の周期を徐々に長くすることで、比較的自然に、着座者に深い呼吸をさせることができる。すなわち、通常、このリフレッシュ動作の開始時において、着座者は、平常時の呼吸周期で呼吸している。従来、この呼吸周期よりも、はるかに大きな周期、例えば１５秒等の周期でシートバック１６表面を進退させる技術が提案されている。このように、着座者の実際に行っている呼吸周期と大きく乖離した周期で、着座者の腰部を押圧しても、着座者は、押圧と押圧解除の間で、別途、胸式呼吸（胸を膨らませて行う呼吸。平常時の呼吸方式）を行いやすい。結果として、従来の技術では、着座者を所望の周期での呼吸に導くことは難しく、着座者の緊張感を効果的に緩和できなかった。
【００４２】
一方を、本例では、膨縮の初期段階では、着座者の平常時の呼吸周期よりやや大きい程度の周期でリフレッシュ用空気袋３２を膨縮させ、その後、膨縮の周期を徐々に大きくしている。この場合、初期段階における着座者の呼吸周期と、リフレッシュ用空気袋３２の膨縮周期との乖離が小さいため、着座者は、リフレッシュ用空気袋３２の膨縮につられて呼吸しやすくなる。そして、膨縮周期が徐々に大きくなることで、着座者の呼吸周期も徐々に大きくなりやすい。結果として、着座者は、ゆっくりとしたリズムの腹式呼吸、いわゆる深い呼吸を行いやすくなり、緊張感が効果的に緩和される。
【００４３】
特に、膨縮周期を徐々に大きくする本例によれば、着座者が意識していなくても、リフレッシュ用空気袋３２の膨縮動作につられて、自然と呼吸周期が大きくなる。そのため、着座者がリラックスの必要性を感じていない場合でも、着座者をより確実にリラックスさせることができる。
【００４４】
なお、ここまで説明した構成は、一例であり、少なくとも、着座者の背部の押圧と押圧解除との繰り返し周期を徐々に大きくするのであれば、その他の構成は、適宜変更されてもよい。例えば、吸気時間Ａｎ及び呼気時間Ｂｎは、徐々に大きくなるのであれば、式１−４以外の式で算出されてもよい。例えば、式１−４では、吸気時間及び呼気時間に加算される加算時間を、ともに同じ時間αとしているが、吸気及び呼気で異なる加算時間を用いてもよい。また、各種パラメータａ０，ｂ０，Ａｍａｘ，Ｂｍａｘ，α等の値は、常に一定の固定値でもよいし、着座者のマインド状態等に応じて適宜変更される可変値でもよい。また、こうしたパラメータの値は、着座者が自由に設定できるようにしてもよい。
【００４５】
また、本例では、着座者の背部を押圧する押圧機構として、膨縮可能なリフレッシュ用空気袋３２を設けているが、他の機構を用いて着座者の背部を押圧してもよい。例えば、シートバック１６の厚み方向に進退可能なシリンダ等を用いて着座者の背部を押圧してもよい。また、本例では、着座者のマインド状態を検知し、その検知結果に基づいて、ストレッチ及びリフレッシュ動作を実行しているが、上述した通り、他のトリガーに基づいて、これら動作を実行するようにしてもよい。さらに、本例では、リフレッシュ動作に加え、ストレッチ動作も行っているが、少なくともリフレッシュ動作をするのであれば、ストレッチ動作は、省略されてもよい。
【符号の説明】
【００４６】
１０  座席装置、１２  シート、１４  シートクッション、１６  シートバック、１８  ヘッドレスト、２２  クッションパッド、２４  クッションカバー、２８  バックパッド、３０  バックカバー、３２  リフレッシュ用空気袋、３４  ストレッチ用空気袋、３６  圧力センサ、３８  弁、４０  チューブ、４２  ポンプ、４４  コントローラ、４６  カメラ、１０２  腰椎、１０４  横隔膜、１０６  肺。
【図１】
2020114706.tif 000003
【図２】
2020114706.tif 000004
【図３】
2020114706.tif 000005
【図４】
2020114706.tif 000006
【図５】
2020114706.tif 000007
【図６】
2020114706.tif 000008